(57)【要約】  ウェットワイプを放出するためのディスペンサーの実施形態が本明細書に開示される。例示的なディスペンサーは、容器、複数のワイプ、およびワイプ放出ノズルを含む。ワイプ放出ノズルは、第一のハウジング部材、および第一の位置と第二の位置との間で移動可能な第二のハウジング部材を有する。第一の位置では、ワイプ放出ノズルは第一の直径を有する開口部を有する。第二の位置では、ノズルは第一の直径よりも小さい第二の直径を有する開口部を有する。ノズルが第一の位置にある時、複数のワイプの先頭のワイプは、ワイプ放出ノズルにねじ込まれて通され得る。第一の位置では、ワイプ放出ノズルは、先頭のワイプがミシン線に沿って後続のワイプから分離し得るほど十分な摩擦力を後続のワイプに対して加えない。第二の位置では、ワイプノズルは閉鎖放出位置にある。【選択図】図８
2021506683.tif 000002
【特許請求の範囲】
【請求項１】
ワイプを放出するためのディスペンサーであって、
容器と、
前記容器内に含まれる複数のワイプと、
ワイプ放出ノズルと、を含み、
前記ワイプ放出ノズルが、第一のハウジング部材および第一の位置と第二の位置との間で移動可能な第二のハウジング部材を有し、
前記第一の位置では、前記ワイプ放出ノズルが第一の直径を有する開口部を有し、
前記第二の位置では、前記ワイプ放出ノズルが第二の直径を有する開口部を有し、
前記第二の直径が前記第一の直径よりも小さい、ディスペンサー。
【請求項２】
前記ノズルが前記第一の位置にある時、前記複数のワイプの先頭のワイプが、前記ワイプ放出ノズルにねじ込まれて通されてもよく、
前記先頭のワイプが前記ワイプ放出ノズルにねじ込まれて通されるとき、前記ワイプ放出ノズルが、前記先頭のワイプがミシン線に沿って前記後続のワイプから分離し得るほど十分な摩擦力を前記後続のワイプに加えない、請求項１に記載のディスペンサー。
【請求項３】
可撓性のスリーブをさらに含む、請求項１に記載のディスペンサー。
【請求項４】
前記第一のハウジングと第二のハウジングとの間の第一の方向の回転により、前記可撓性のスリーブの一部分が回転し、前記可撓性のスリーブが折り畳まれて前記第二の直径を有する前記開口部を形成する、請求項３に記載のディスペンサー。
【請求項５】
前記スリーブの上部を前記第一のハウジングに接続するための上部保持リングと、前記支持スリーブの下部を前記第二のハウジング部材に接続するための下部保持リングと、をさらに含む、請求項３に記載のディスペンサー。
【請求項６】
前記第一のハウジング部材および第二のハウジング部材のうちの一方がラチェット部材を含み、前記第一のハウジング部材および第二のハウジング部材のうち他方がラチェット捕捉機構を含む、請求項１に記載のディスペンサー。
【請求項７】
シャッターアセンブリをさらに含み、前記第一のハウジング部材と前記第二のハウジング部材との間の移動が、前記シャッターアセンブリを開放させ、前記シャッターアセンブリの第二の方向への移動が前記シャッターアセンブリを閉鎖させる、請求項１に記載のディスペンサー。
【請求項８】
バルブアセンブリをさらに含み、前記第一のハウジング部材と前記第二のハウジング部材との間の移動が、前記バルブアセンブリを開放させ、前記バルブアセンブリの第二の方向への移動が前記バルブアセンブリを閉鎖させる、請求項１に記載のディスペンサー。
【請求項９】
ワイプのロールをさらに含む、請求項１に記載のディスペンサー。
【請求項１０】
ワイプを放出するためのディスペンサーであって、
容器と、
前記容器内に含まれる複数のワイプと、
ワイプ放出ノズルであって、
第一のハウジング部材、第二のハウジング部材、および可撓性のスリーブを有する、ワイプ放出ノズルと、を含み、
前記ワイプ放出ノズルが、第一の位置と第二の位置との間で移動可能であり、
前記第一の位置では、前記ワイプ放出ノズルが第一の直径を有する前記可撓性のスリーブによって形成された開口部を有し、
前記第二の位置では、前記ワイプ放出ノズルが第二の直径を有する前記可撓性のスリーブによって形成された開口部を有し、
前記第二の直径が前記第一の直径よりも小さく、
前記第一の位置では、ワイプが前記開口部にねじ込まれて通されてもよく、前記開口部が、前記先頭のワイプがミシン線に沿って後続のワイプから分離し得るほど十分な摩擦を前記後続のワイプに加えない程度に大きい、ディスペンサー。
【請求項１１】
前記第一のハウジング部材および前記第二のハウジング部材のうちの一方がラチェット部材を含み、前記第一のハウジング部材および第二のハウジング部材のうち他方がラチェット捕捉機構を含む、請求項１０に記載のディスペンサー。
【請求項１２】
前記第一のハウジング部材および前記第二のハウジング部材のうちの一方が、互いに対して回転する、請求項１０に記載のディスペンサー。
【請求項１３】
前記スリーブの上部を前記上部ハウジングに保持するための上部保持リングをさらに含む、請求項１０のディスペンサー。
【請求項１４】
前記スリーブの下部を前記下部ハウジングに保持するための下部保持リングをさらに含む、請求項１０のディスペンサー。
【請求項１５】
ワイプのロールをさらに含む、請求項１０に記載のディスペンサー。
【請求項１６】
ワイプディスペンサーノズルを装填する方法であって、
容易に負荷調節可能なノズルを有するワイプの容器を取得することと、
前記容易に負荷調節可能なノズルを開放装填位置に配置することであって、
前記開放装填位置が、先頭のワイプを後続のワイプから分離させ得るほど十分な力を加えない、配置することと、
前記容易に負荷調節可能なノズルに先頭のワイプをねじ込んで通すことと、
前記調節可能な放出ノズルを閉鎖放出位置に配置することと、を含む、方法。
【請求項１７】
前記容易に負荷調節可能なノズルが、第二の部分に対する第一の部分の回転によって前記開放装填位置および閉鎖放出位置に移動される、請求項１６に記載の方法。
【請求項１８】
前記容易に負荷調節可能なノズルが、前記開放装填位置と前記閉鎖放出位置との間を回転する可撓性のスリーブを含む、請求項１６に記載の方法。
【請求項１９】
前記容易に負荷調節可能なノズルが、前記開放装填位置と前記閉鎖放出位置との間を回転するシャッターを含む、請求項１６に記載の方法。
【請求項２０】
前記閉鎖放出位置では、ワイプの周りに少なくとも部分的に封止を形成することによって、前記ディスペンサーが前記容器内に位置する前記ワイプの乾燥を低減させる、請求項１６に記載の方法。
【発明の詳細な説明】
【技術分野】
【０００１】
関連出願
本出願は、「ＷＩＰＥＳ  ＤＩＳＰＥＮＳＥＲＳ  ＡＮＤ  ＥＡＳＹ  ＬＯＡＤ  ＡＤＪＵＳＴＡＢＬＥ  ＤＩＳＰＥＮＳＩＮＧ  ＮＯＺＺＬＥ」と題され、２０１７年１２月１５日に出願された、米国仮特許出願第６２／５９９，３５８号の優先権および利益を主張し、その全体が参照により本明細書に組み込まれる。
【０００２】
本発明は概して、ワイプまたは濡れナプキンを放出するためのディスペンサーに関連する。より具体的には、本発明は、容易に負荷調節可能な放出ノズルを有するワイプディスペンサー、また、ワイプディスペンサーにあるワイプの「乾燥」を防止または軽減させるワイプディスペンサーに関連する。
【背景技術】
【０００３】
ワイプは典型的には、不織布材料などの多様な材料から作製される。ワイプは、抗菌溶液などの溶液で湿らされていることが多い。ワイプは、容器内に積み重ねられるか、折り畳まれてもよく、またはロールの形態であってもよい。ロールの形態のワイプは典型的に、後続の頂部または後続するワイプがミシン線が裂ける前に取出口ノズルを通して引っ張られ、先行するワイプが使用されて口取り（ｌｅａｄ  ｔａｉｌ）が出口ノズルから突出した状態になるように、互いに繋がったままの状態を維持するのに十分な強度を持つ、ワイプの間のミシン線を有する。したがって、後続のワイプの口取りはユーザーによって掴まれ、容器から引き出され得る。口取りはしばしば、開口部を越えてユーザーが掴むのに十分な高さまで突出せず、これが顧客による「短い口取り（ｓｈｏｒｔ  ｔａｉｌ）」の苦情をもたらす。同様に、「後退（ｆａｌｌ  ｂａｃｋ）」についての苦情は、ワイプが出口ノズルを通り、容器内に戻ってしまうときに発生する。ワイプをワイプノズルにねじ込んで通すことは通常困難であり、後退が発生したとき、短い口取りが発生したとき、または新しいワイプロールをディスペンサーに取り付けるときは、面倒である。さらに、現在のワイプノズルの多くは、ワイプを再度ねじ込むためのツールを必要とする。加えて、現在のワイプディスペンサーの多くは、ワイプ／容器内の流体が蒸発し、ワイプを「乾燥」させ得るスリットまたは切り抜きを介した開口部を含む。
【発明の概要】
【０００４】
ウェットワイプを放出するためのディスペンサーの実施形態が本明細書に開示される。ワイプを放出するための例示的なディスペンサーは、容器、容器内に含まれた複数のワイプ、およびワイプ放出ノズルを含む。ワイプ放出ノズルは、第一のハウジング部材、および第一の位置と第二の位置との間で移動可能な第二のハウジング部材を有する。第一の位置では、ワイプ放出ノズルは第一の直径を有する開口部を有する。第二の位置では、ワイプ放出ノズルは第二の直径を有する開口部を有する。第二の直径は第一の直径よりも小さい。ノズルが第一の位置にある時、複数のワイプの先頭のワイプは、ワイプ放出ノズルにねじ込まれて通され得る。第一の位置では、ワイプ放出ノズルは、先頭のワイプがミシン線に沿って後続のワイプから分離し得るほど十分な摩擦力を後続のワイプに対して加えない。
【０００５】
ワイプを放出するための別の例示的なディスペンサーは、容器、容器内に含まれた複数のワイプ、およびワイプ放出ノズルを含む。ワイプ放出ノズルは、第一のハウジング部材、第二のハウジング部材、および可撓性のスリーブを有する。ワイプ放出ノズルは、第一の位置と第二の位置との間で移動可能である。第一の位置では、ワイプ放出ノズルは第一の直径を有する可撓性のスリーブによって形成された開口部を有する。第二の位置では、ワイプ放出ノズルは第二の直径を有する可撓性のスリーブによって形成された開口部を有する。第二の直径は第一の直径よりも小さい。第一の位置では、ワイプは開口部にねじ込まれ通されてもよく、当該開口部は、先頭のワイプがミシン目に沿って後続のワイプから分離し得るほど十分な摩擦を後続のワイプに対して加えない程度に大きい。
【０００６】
ワイプディスペンサーノズルを装填する例示的方法は、容易に負荷調節可能なノズルを有するワイプの容器を得ること、および容易に負荷調節可能なノズルを開放装填位置に配置することを含む。開放装填位置は、先頭のワイプを後続のワイプから分離させ得るほど十分な力を加えない。例示的方法は、先頭のワイプを容易に負荷調節可能なノズルにねじ込んで通すことと、調節可能な放出ノズルを閉鎖放出位置に配置すること、をさらに含む。
【０００７】
ワイプを放出するための別の例示的なディスペンサーは、容器、容器内に含まれた複数のワイプ、およびワイプ放出ノズルを含む。ワイプ放出ノズルは、第一のハウジング部材、第二のハウジング部材、およびバルブを有する。ワイプ放出ノズルは、第一の位置と第二の位置との間で移動可能である。第一の位置では、バルブは第一の直径を有する開口部を有する。第二の位置では、バルブは第二の直径を有する開口部を有する。第二の直径は第一の直径よりも小さい。
【０００８】
ワイプ放出ノズルの例示的な実施形態もまた本明細書に開示される。例示的な実施形態は、第一のハウジング部材、第二のハウジング部材、および可撓性のスリーブを有する。ワイプ放出ノズルは、第一の位置と第二の位置との間で移動可能である。第一の位置では、ワイプ放出ノズルは第一の直径を有する可撓性のスリーブによって形成された開口部を有する。第二の位置では、ワイプ放出ノズルは第二の直径を有する可撓性のスリーブによって形成された開口部を有する。第二の直径は第一の直径よりも小さい。
【０００９】
別の例示的なワイプ放出ノズルは、第一のハウジング部材、および第一の位置と第二の位置との間で移動可能な第二のハウジング部材を有する。第一の位置では、ワイプ放出ノズルは第一の直径を有する開口部を有する。第二の位置では、ワイプ放出ノズルは第二の直径を有する開口部を有する。第二の直径は第一の直径よりも小さい。ノズルが第一の位置にある時、複数のワイプの先頭のワイプは、ワイプ放出ノズルにねじ込まれて通され得る。ワイプ放出ノズルは、開放装填位置にある時、先頭のワイプがミシン目に沿って後続のワイプから分離し得るほど十分な摩擦力を後続のワイプに対して加えない。
【００１０】
別の例示的なワイプ放出ノズルは、第一のハウジング部材、第二のハウジング部材、およびシャッターを有する。ワイプ放出ノズルは、第一の位置と第二の位置との間で移動可能である。第一の位置では、ワイプ放出ノズルは第一の直径を有するシャッターにより形成された開口部を有する。第二の位置では、ワイプ放出ノズルは第一の直径よりも小さい第二の直径を有するシャッターにより形成された開口部を有する。
【００１１】
別の例示的なワイプ放出ノズルは、第一のハウジング部材、第二のハウジング部材、およびバルブを有する。ワイプ放出ノズルは、第一の位置と第二の位置との間で移動可能である。第一の位置では、ワイプ放出ノズルは第一の直径を有するバルブにより形成された開口部を有する。第二の位置では、ワイプ放出ノズルは第一の直径よりも小さい第二の直径を有する可撓性のスリーブにより形成された開口部を有する。
【図面の簡単な説明】
【００１２】
本発明のこれらおよびその他の特徴および利点は、以下の記述および添付図面に関してより良く理解されるであろう。
【００１３】
【図１】図１は、ノズルが開放装填位置にある状態の、容易に負荷調節可能なノズルを有する例示的なワイプディスペンサーの断面図であり、先頭のワイプが容易に負荷調節可能なノズルを通して引き出されている。
【００１４】
【図２】図２は、ノズルが閉鎖放出位置にある状態の、図１の容易に負荷調節可能なノズルを有する例示的なワイプディスペンサーの断面図であり、先頭のワイプが容易に負荷調節可能なノズルを通して引き出されている。
【００１５】
【図３】図３は、図１の容易に負荷調節可能なノズルの側面図である。
【００１６】
【図４】図４は、可撓性のスリーブを含まない図１の例示的な容易に負荷調節可能なノズルの断面図である。
【００１７】
【図５】図５は、例示的な可撓性のスリーブの断面図である。
【００１８】
【図６】図６は、容易に負荷調節可能なノズルの部分図である。
【００１９】
【図７】図７は、それを通って突出するワイプのない状態の、閉鎖または放出位置にある例示的な容易に負荷調節可能なノズルの平面図である。
【００２０】
【図８】図８は、容易に負荷調節可能なノズルを有する例示的なワイプディスペンサーの透視図である。
【００２１】
【図９】図９は、容易に負荷調節可能なノズルにワイプを装填するための例示的方法である。
【００２２】
【図１０】図１０Ａおよび１０Ｂは、シャッタータイプの閉鎖を有する容易に負荷調節可能なノズルの例示的な実施形態である。
【００２３】
【図１１】図１１Ａおよび１１Ｂは、バルブタイプの閉鎖を有する容易に負荷調節可能なノズルの例示的な実施形態である。
【発明を実施するための形態】
【００２４】
図１および図２は、容易に負荷調節可能なノズル１３０を有するワイプディスペンサー１００の例示的な実施形態を図示する。ワイプディスペンサー１００は容器１０２を含む。容器１０２の内側に位置するのは、ワイプ１０４のロールである。ワイプ１０４のロールは流体で湿らされる。流体は、ワイプによって完全に吸収され得る。いくつかの実施形態では、容器の底部に残留液（図示せず）がある。容器の底部にある流体は、毛細管現象によってワイプを上って移動し得る。ワイプのロール１０４は、ワイプのロール１０４から個々のワイプを分離するために使用される周期的なミシン目１４０を有する。いくつかの実施形態では、ワイプはロール状ではなく、先頭のワイプが二つのワイプが分離する前に開口部を通して後続のワイプを引き出すように折り畳まれた個別のワイプであり得る。ワイプディスペンサー１００は、容器１０２に固定されたキャップ１０６を含む。キャップ１０６は、例えば、螺合、溶接、スナップフィット、接着接合、摩擦ばめ、など、任意の手段によって容器１０２に固定され得る。
【００２５】
容易に負荷調節可能なノズル１３０は、キャップ１０６に接続される。いくつかの実施形態では、容易に負荷調節可能なノズル１３０およびキャップ１０６は、単一ユニットに組み込まれる。容易に負荷調節可能なノズル１３０は、第一（または上部）のハウジング部材１６０および第二（または下部）のハウジング部材１３２を含む。第一および第二のハウジング部材１６０、１３２は、第一のハウジング部材１６０が第二のハウジング部材１３２と関連して移動可能になるような方法で接続される。この例示的な実施形態では、第一のハウジング部材１６０は、第二のハウジング部材１３２に対して回転する。
【００２６】
開口部１０７は、少なくとも部分的にハウジング部材１３２によって形成される。下部ホース部材１３２は、円筒形状を有し、ラチェット捕捉機構１３８および放出タブ１３４を含む。上部ハウジング部材１６０は円筒形状を有し、そのまわりに位置する、ラチェット捕捉機構１３８と係合するラチェット部材１６２を有する。この例示的な実施形態では、放出タブ１３４を押下すると、ラチェット捕捉機構１３８がハウジング１６４の一部分に位置するラチェット部材１６２から係合解除される。
【００２７】
容易に負荷調節可能なノズル１３０はまた、下部保持リング１４０および上部保持リング１６４を含む。下部保持リング１４０は、可撓性のスリーブ１５０の下方端１５２を下部ハウジング部材１３２に接続する。上部保持リングは、可撓性のスリーブ１５０の上方端１５４を上部ハウジング部材に固定する。可撓性のスリーブ１５０は、例えば、プラスチック、ゴム、エラストマー、シリコーン、ウレタン、ポリ塩化ビニル（「ＰＶＣ」）、織物、疎水性織物、カーボンファイバー、など、本明細書に記載の開放装填構成および閉鎖放出構成を形成することができる、任意のタイプの可撓性材料であり得る。いくつかの実施形態では、可撓性材料は伸縮可能である。
【００２８】
下部ハウジング１３２に対する上部ハウジング１６０の回転は、可撓性のスリーブ１５０を開口部１８０にわたって伸縮または折り畳ませ、開口部１８０のサイズを縮小させる。図１に示す開口部１８０Ａは、開放装填位置の一例である。開放装填位置では、開口部１８０Ａの直径は、閉鎖放出位置にある開口部１８０Ｂよりも大きい。装填位置にある開口部１８０は、ワイプ１７０を開放または装填位置１８０Ａにある開口部１８０にねじ込んで通すのに十分な大きさであり、後続のワイプ１７１が先頭のワイプ１７０から分離し得るのに十分な力をワイプ１７０に加えない。
【００２９】
この実施形態では、ラチェット部材１６２は、上部ハウジング部材１６４の周囲の周りに延在する。これにより、下部ハウジング部材１３２に対して上部ハウジング１６０を任意の特定の位置に回転させ、ラチェット捕捉機構１３８が解除されるまでその位置に留まる。いくつかの実施形態では、ラチェット捕捉機構１３８は、上部ハウジング１６０が、ラチェット捕捉機構１３８を手動で解除することなく、その閉鎖放出位置１８０Ｂに向かって回転し得るように、傾斜面を有する。いくつかの実施形態では、ラチェット部材１６２は、上部ハウジング１６０の周りに部分的にのみ延在する。このように、閉鎖放出位置にある開口部の最小直径は、ラチェット部材１６２の位置によって制御される。いくつかの実施形態では、閉鎖放出位置にある開口部１８０が小さすぎるのを防ぐためにストップ部材（図示せず）が用いられる。
【００３０】
開口部１８０は、開放装填位置１８０Ａである第一の直径（図１）を有する。図１に見られる通り、開口部は、容易に負荷調節可能なノズル１３０を通して引っ張られる先頭のワイプ１７０よりも実質的に大きい。これにより、通常は従来技術のノズルで必要とされるように、ノズル１３０にワイプを押したり、引っ張ったりして通すためのツールの必要なしに、先頭のワイプ１７０をノズル１３０にねじ込んで通すことが可能になる。いくつかの実施形態では、開放装填位置１８０Ａでは、ワイプ１４０の端を離すと、先頭のワイプ１７０はノズル１３０を通って下に引っ込んでしまう。言い換えれば、開放装填位置１８０Ａにある開口部１８０は、ワイプ１７０を掴まない、またはワイプ１７０に対して大きな摩擦力を加えない。すなわち、容易に負荷調節可能なノズル１３０によってワイプ１７０に適用される任意の摩擦力は、ワイプが上に引っ張られたとき、ミシン目１４０に沿ってワイプ１４０をワイプのロール１０４から分離させ得ない。
【００３１】
図２、７および８は、より小さな開口部１８０を有する容易に負荷調節可能なノズル１３０を図示し、閉鎖または放出位置１８０Ｂにある。より小さい開口部１８０は、ワイプ１７０を固定し、流体（図示せず）が容器１０２から蒸発するのを防止する（または緩和させる）。加えて、先頭のワイプ１７０と後続のワイプ１７１との間のミシン目１４０が放出または閉鎖位置１８０Ｂにあるより小さい開口部１８０の頂部よりわずかに上にある時、より小さい開口部１８０は先頭のワイプ１７０が後続のワイプ１７１から分離するのに十分な摩擦力をワイプ１７０、１７１にもたらす。閉鎖放出位置１８０Ｂにある開口部１８０の直径は、放出されている特定のワイプ１７０、１７１の関数、および十分な量の後続のワイプ１７１が容易に負荷調整可能な放出ノズルの端部から延びた後、後続のワイプ１７１の先頭の端部が先頭のワイプ１７０から分離し得るような最適な摩擦力である。
【００３２】
図３は例示的な容易に負荷調節可能なノズル１３０の側面図であり、図４はその断面図である。図５は例示的なスリーブ１５０の断面図であり、図６は上部ハウジング１６０Ａ、下部ハウジング１３２Ａおよびスリーブ１５０Ａを有する放出ノズル１３０Ａの部分分解透視図である。この実施形態では、上部ハウジング部材１６０Ａは、例示的な目的のために下部ハウジング部材１３２Ａから分離されるが、実際には上で示したように互いに接続されている。
【００３３】
図７は、閉鎖放出位置１８０Ｂにある、閉鎖放出位置１８０Ｂにある開口部１８０を有する閉鎖位置にある容易に負荷調節可能なノズル１３０の平面図であり、開口部１８０は、ワイプ１７０に圧力を加え、開口部１８０の下に位置するワイプ１７０の乾燥を防ぐのに役立つ封止を形成する。図８は、容易に負荷調節可能なノズル１３０を有するワイプディスペンサー１００の透視図である。
【００３４】
図９は、ワイプのロールの先頭のワイプをねじ込むための例示的方法９００である。方法はブロック９０２で開始し、ブロック９０４では、ワイプを備えた容器および容易に負荷調節可能な放出ノズルが提供される。ブロック９０６では、調節可能な放出ノズルが開放装填位置に配置される。これは、例えば、ラチェット捕捉を解除し、別の部材に対して部材を回転させてノズルを開くことにより達成され得る。
【００３５】
先頭のワイプは、ノズルの開口部にねじ込まれて通される。開放装填位置では、離された場合、ワイプは容器内に引っ込み得る。加えて、この位置では、先頭のワイプが容易に負荷調節可能なノズルを通して引っ張られる場合、ミシン線に沿って先頭のワイプが後続のワイプから分離し得るような不十分な摩擦力が容易に負荷調節可能なノズルによって加えられる。
【００３６】
ブロック９１０では、容易に負荷調節可能なノズルがその閉鎖放出位置に配置される。これは、例えば、別の部材に対してある部材を回転させて、ワイプの周りの開口部を閉鎖し、ノズルを閉鎖放出位置に配置することによって達成され得る。閉鎖放出位置では、先頭のワイプを引っ張ると、先頭のワイプから分離する前に、後続のワイプがノズルから部分的に延びる。方法はブロック９１２で終了する。
【００３７】
別の例示的な実施形態は、シャッター様式の閉鎖部１０００（図１０Ａおよび１０Ｂに示す）を利用して、上述のものと類似した機能を実行する。いくつかの実施形態では、シャッター様式の閉鎖部は、カメラのシャッターの外観と類似して見える。この実施形態では、シャッター１００６は、ノズル１０００にワイプを容易にねじ込んで上へと通すことができる第一の直径１００８Ａを有する開放装填位置を有する。また、ノズル１０００が開放装填位置にある時、ノズルを通して先頭のワイプを引っ張る上げることによって、先頭のワイプはワイプのロールから分離され得ない。先頭のワイプがノズルを通して引っ張り上げられた後、シャッター１００６はその閉鎖放出位置１００８Ｂに移動する。この位置では、シャッターは、ワイプがノズルを通して引っ張られるときにワイプに摩擦力を加える。摩擦力は、先頭のワイプが容器から引っ張り出される時、ミシン線が容易に負荷調節可能なノズルの十分上方にあると、後続のワイプがミシン線から分離するのに十分である。この例示的な実施形態では、容易に負荷調節可能なノズル１０００は、互いに対して移動して、上述のように他方に対して一方を回転させることによって、開放装填位置１００８Ａと閉鎖放出位置１００８Ｂとの間を移動する、第一のハウジング部材１００２および第二のハウジング部材１００４を有し、同様のラチェット部材および一つまたは複数のラチェット捕捉部材を含み得る。
【００３８】
別の例示的な実施形態は、シャッター様式の閉鎖部１１００（図１１Ａおよび１１Ｂに示す）を利用して、上述のものと類似した機能を達成および／または実行する。いくつかの実施形態では、バルブ様式の閉鎖部を利用して、類似の機能を達成および／または実行する。この実施形態では、バルブ１１０６は、ノズル１１００にワイプを容易にねじ込んで上へと通すことができる第一の直径１１０８Ａを有する開放装填位置を有する。また、ノズル１１００が開放装填位置にある時、ノズルを通して先頭のワイプを引っ張る上げることによって、先頭のワイプはワイプのロールから分離され得ない。先頭のワイプがノズルを通して引っ張り上げられた後、バルブ１１０６はその閉鎖放出位置１１０８Ｂに移動する。この位置では、バルブは、ワイプがノズル１１００を通して引っ張られるときにワイプに摩擦力を加える。摩擦力は、先頭のワイプが容器から引っ張り出される時、ミシン線が容易に負荷調節可能なノズル１１００の十分上方にあると、後続のワイプがミシン線に沿って先頭のワイプから分離するのに十分である。この例示的な実施形態では、容易に負荷調節可能なノズル１１００は、互いに対して移動して、上述のように他方に対して一方を回転させることによって、開放装填位置１１０８Ａと閉鎖放出位置１１０８Ｂとの間を移動する、第一のハウジング部材１１０２および第二のハウジング部材１１０４を有し、同様のラチェット部材および一つまたは複数のラチェット捕捉部材を含み得る。
【００３９】
いくつかの実施形態では、本明細書に図示および開示されるキャップは、例えば、スナップカバーなどのカバー（図示せず）を含み得る。
【００４０】
例示的な実施形態の多くは、ワイプの周りに封止を少なくとも部分的に形成することによって「乾燥」を排除または緩和させる。ワイプの周りに封止を少なくとも部分的に形成することにより、容器から蒸発する流体の量を防止または低減させる。
【００４１】
いくつかの実施形態では、本明細書に記載のノズルを任意のタイプの容器で使用し得る。容器はワイプを湿らせるための流体を含む。いくつかの実施形態では、流体は消毒薬である。いくつかの実施形態では、流体は一つまたは複数の抗菌剤を含む。いくつかの実施形態では、流体は殺菌剤である。いくつかの実施形態では、流体はアルコールを含む。いくつかの実施形態では、流体はエタノールを含む。いくつかの実施形態では、流体はイソプロピルアルコールを含む。いくつかの実施形態では、流体は変性アルコールを含む。いくつかの実施形態では、流体は第四級アンモニウムカチオンまたは塩を含む。いくつかの実施形態では、流体は漂白剤を含む。
【００４２】
本発明はその実施形態の説明によって図示されており、実施形態がかなり詳細に記述されているが、これは、出願人がそのような詳細に対する添付の請求項の範囲を制限することを意図するものではない。追加的な利点および修正は、当業者には容易に見えるであろう。例えば、流体保持部材は、ドーム型自在軸受ノズルから分離され得る。したがって、本発明は、そのより広い態様において、示され説明されている具体的な詳細、代表的な装置および説明の例に限定されない。したがって、新しい試みは、出願人の一般的な発明の概念の精神または範囲から逸脱することなく、そのような詳細から作られうる。
【図１】
2021506683.tif 000003
【図２】
2021506683.tif 000004
【図３】
2021506683.tif 000005
【図４】
2021506683.tif 000006
【図５】
2021506683.tif 000007
【図６】
2021506683.tif 000008
【図７】
2021506683.tif 000009
【図８】
2021506683.tif 000010
【図９】
2021506683.tif 000011
【図１０Ａ】
2021506683.tif 000012
【図１０Ｂ】
2021506683.tif 000013
【図１１Ａ】
2021506683.tif 000014
【図１１Ｂ】
2021506683.tif 000015
【国際調査報告】
2021506683.tif 000016
2021506683.tif 000017